(57)【要約】【課題】  戸の幅が狭く縦長形状をなす引き戸が安定姿勢により正常に開閉動作するエレベーターのドア装置を得る。【解決手段】  出入口１幅の縁部寄りを閉塞する第一、第二低速戸６，７、出入口１幅の中心寄りを閉塞する第一、第二高速戸８，９の全開時に、第一吊り手１０等が戸の戸閉側の端部を越えて出入口１幅の中心方向に張り出す。このため、吊り手の吊りローラ１２等の相互間隔を拡大でき、戸の幅が狭く縦長形状の第一高速戸８等であっても、戸の下端部に作用する大きい開閉動作方向の抵抗等を吊りローラ１２等によって支持できる。  このため、開閉動作方向の抵抗発生時にも開閉動作正常状態に維持できる。また、出入口幅方向のドア装置設置用のスペースを節減できてエレベーター設置費を低減する。【選択図】        図１
2005200139.tif 000002
【特許請求の範囲】
【請求項１】
出入口の幅方向に沿って開閉動作する引き戸、上記出入口の上縁部に設けられて長手が水平に配置された案内レール並びに上記引き戸の上端に装着されて上記引き戸の戸幅方向に延在する吊り手板幅の両端寄りにそれぞれ枢着されて上記案内レールの上縁を転動する吊りローラ及び上記案内レールの下縁に対向して配置された外れ止めローラを有する吊り手、
上記引き戸からなり上記出入口の幅方向に沿い互いに反対方向に動作して上記出入口を開閉し戸閉時に上記出入口幅の中心寄りに配置される第一高速戸及び第二高速戸と、上記引き戸からなり上記出入口の幅方向に沿い互いに反対方向に動作して上記出入口を開閉し戸閉時に上記出入口幅の縁部寄りに配置される第一低速戸及び第二低速戸と、
上記案内レールからなり上記第一高速戸に対応して配置された第一案内レール、上記第二高速戸に対応して配置された第二案内レール並びに上記第一低速戸及び第二低速戸に対応して配置された第三案内レールと、
上記吊り手からなり上記第一高速戸に設けられて上記第一案内レールに係合され、上記第一高速戸の戸開時において上記出入口幅の中心方向に張り出す吊り手板幅を有する第一吊り手と、上記吊り手からなり上記第二高速戸に設けられて上記第二案内レールに係合され、上記第二高速戸の戸開時において上記出入口幅の中心方向に張り出す吊り手板幅を有する第二吊り手と、上記吊り手からなり上記第一低速戸及び第二低速戸の両者のそれぞれに設けられて上記第三案内レールに係合され、上記両者の戸開時に上記出入口幅の中心方向に張り出す吊り手板幅を有する第三吊り手とを備えたエレベーターのドア装置。
【請求項２】
出入口の幅方向に沿って開閉動作する引き戸、上記出入口の上縁部に設けられて長手が水平に配置された案内レール並びに上記引き戸の上端に装着されて上記引き戸の戸幅方向に延在する吊り手板幅の両端寄りにそれぞれ枢着されて上記案内レールの上縁を転動する吊りローラ及び上記案内レールの下縁に対向して配置された外れ止めローラを有する吊り手、
上記引き戸からなり上記出入口の幅方向に沿い互いに反対方向に動作して上記出入口を開閉し戸閉時に上記出入口幅の右半分に配置される第一引き戸及び上記出入口幅の左半分に配置される第二引き戸と、
上記案内レールからなり上記第一引き戸に対応して配置された第一案内レール及び上記第二引き戸に対応して配置された第二案内レールと、
上記吊り手からなり上記第一引き戸に設けられて上記第一案内レールに係合され、上記第一引き戸の戸開時において上記出入口幅の中心方向に張り出す吊り手板幅を有する第一吊り手と、上記吊り手からなり上記第二引き戸に設けられて上記第二案内レールに係合され、上記第二引き戸の戸開時において上記出入口幅の中心方向に張り出す吊り手板幅を有する第二吊り手とを備えたエレベーターのドア装置。
【発明の詳細な説明】
【技術分野】
【０００１】
この発明は、主として四枚両引き戸形式、すなわち互いに反対方向に開閉動作して戸閉時に出入口の中心寄りに配置される高速戸及び出入口幅の縁部寄りに配置される低速戸を設けた形式のエレベーターのドア装置に関する。
【背景技術】
【０００２】
エレベーターのドア装置は、出入口の幅方向に沿い互いに反対方向に開閉動作する引き戸、出入口の上縁部に設けられて長手が水平に配置された案内レール並びに引き戸の上端に装着されて引き戸の戸幅方向に延在する吊り手板幅の両端寄りにそれぞれ枢着されて案内レールの上縁を転動する吊りローラ及び案内レールの下縁に対向して配置された外れ止めローラを有する吊り手を主要部材としてエレベーターのドア装置が構成される。（例えば、特許文献１参照）。
【０００３】
【特許文献１】特開平１１−２９２４３２号公報（要約）
【発明の開示】
【発明が解決しようとする課題】
【０００４】
上記のようなエレベーターのドア装置の構成を四枚両引き戸形式のドア装置に適用した場合に、例えば一戸建て住宅等に設置される小形エレベーターにおいて出入口幅が狭いとき、すなわち出入口高さが１９０cm、出入口幅が８０cmのときには、一枚の引き戸は高さが１９２cm程度、戸の幅が２２cm程度の縦長形状になる。また、吊り手の吊り手板幅も２２cm程度となり吊り手板幅の両端寄りにそれぞれ配置される吊りローラの相互間隔、外れ止めローラの相互間隔が狭くなる。
【０００５】
このため、引き戸の下端部に大きい開閉動作方向の抵抗力又は開閉動作方向の付勢力等による負荷が作用した場合に、吊りローラ、外れ止めローラによる開閉動作方向の抵抗力、また外力の支持が困難になる。したがって、引き戸の正常な開閉が妨げられて、例えば互いに反対方向に開閉動作し全閉時において互いに端部を接して配置される引き戸相互の下端部に隙間が発生したり、また全閉し互いに端部を接して配置された引き戸の下端が悪戯によってこじ開けられたときに、引き戸下端に隙間が発生したりするという問題点があった。
【０００６】
この発明は、かかる問題点を解消するためになされたものであり、戸の幅が狭く縦長形状をなす引き戸が安定姿勢を保って正常に開閉動作するエレベーターのドア装置を得ることを目的とする。
【課題を解決するための手段】
【０００７】
この発明に係るエレベーターのドア装置においては、出入口の幅方向に沿って開閉動作する引き戸、出入口の上縁部に設けられて長手が水平に配置された案内レール並びに引き戸の上端に装着されて引き戸の戸幅方向に延在する吊り手板幅の両端寄りにそれぞれ枢着されて案内レールの上縁を転動する吊りローラ及び案内レールの下縁に対向して配置された外れ止めローラを有する吊り手が配置される。
【０００８】
そして、上記引き戸からなり出入口の幅方向に沿い互いに反対方向に動作して出入口を開閉し戸閉時に出入口幅の中心寄りに配置される第一高速戸及び第二高速戸と、上記引き戸からなり出入口の幅方向に沿い互いに反対方向に動作して出入口を開閉し戸閉時に出入口幅の縁部寄りに配置される第一低速戸及び第二低速戸とが設けられる。
【０００９】
また、上記案内レールからなり第一高速戸に対応して配置された第一案内レール、第二高速戸に対応して配置された第二案内レール並びに第一低速戸及び第二低速戸に対応して配置された第三案内レールが設けられる。
【００１０】
また、上記吊り手からなり第一高速戸に設けられて第一案内レールに係合され、第一高速戸の戸開時において出入口幅の中心方向に張り出す吊り手板幅を有する第一吊り手と、上記吊り手からなり第二高速戸に設けられて第二案内レールに係合され、第二高速戸の戸開時において出入口幅の中心方向に張り出す吊り手板幅を有する第二吊り手と、上記吊り手からなり第一低速戸及び第二低速戸の両者のそれぞれに設けられて第三案内レールに係合され、両者の戸開時に出入口幅の中心方向に張り出す吊り手板幅を有する第三吊り手とが設けられる。
【発明の効果】
【００１１】
この発明によるエレベーターのドア装置は、第一低速戸、第二低速戸、第一高速戸及び第二高速戸の全開時において、第一吊り手、第二吊り手及び第三吊り手が、対応したそれぞれの戸の戸開側の端部から戸閉側の端部を越えて出入口幅の中心方向に張り出して配置される。このため、それぞれの吊り手の吊り手板幅の両端寄りにそれぞれ枢着された吊りローラの相互間隔、外れ止めローラの相互間隔を拡大することができる。したがって、戸の幅が狭く縦長形状をなす第一高速戸等であっても、戸の下端部に大きい開閉動作方向の抵抗力又は開閉動作方向の付勢力等の負荷が作用した場合に、吊りローラ、外れ止めローラによって開閉動作方向の抵抗力、また付勢力等の負荷を支持することができる。
【００１２】
これによって、第一高速戸等に開閉動作方向の抵抗力、また外力が作用した場合であっても、第一高速戸等の開閉動作を安定化して正常状態に維持する効果がある。すなわち、例えば互いに反対方向に開閉動作して、全閉時に互いに端部を接する引き戸相互の下端部に隙間が発生したり、また全閉し端部を互いに接して配置された引き戸の下端が悪戯によってこじ開けられたときに、引き戸相互の下端に隙間が発生したりする不具合の発生を未然に防止する効果がある。
【００１３】
また、第一高速戸等の全開時に第一吊り手等が対応したそれぞれの戸の戸開側の端部から戸閉側の端部を越えて出入口幅の中心方向に張り出して配置される。したがって、第一吊り手等における吊りローラ等の相互間隔を拡大するために、出入口幅方向においてドア装置の設置に要するスペース幅を広げる必要がなく、比較的に狭い幅のスペースに容易にドア装置を設置することができ、エレベーターの昇降路等エレベーターを設置する建築構造体の費用を節減できてエレベーター設置費を低減する効果がある。
【発明を実施するための最良の形態】
【００１４】
実施の形態１．
図１〜図３は、この発明の実施の形態を示す図で、図１は高さ方向の中間部を破断して示す正面図、図２は図１の案内レール箇所の拡大縦断面図、図３は図１の要部相当図で出入口の戸開状態を示す図である。図において、出入口１の上縁部にハンガーケース２が設けられて長手が水平に配置される。そして、ハンガーケース２の奥側に第三案内レール３が設けられて長手が水平に配置され、また第三案内レール３の前側に空隙を形成して第二案内レール４が設けられて長手が水平に配置される。
【００１５】
また、第二案内レール４の前側に空隙を形成して第一案内レール５が設けられて長手が水平に配置される。そして、引き戸からなる第一低速戸６及び第二低速戸７がハンガーケース２の奥側寄り、すなわち出入口１の縁部を構成する枠寄りに配置される。なお、第一低速戸６及び第二低速戸７は出入口１の幅方向に沿い互いに反対方向に動作して出入口１を開閉し戸閉時に出入口１幅の縁部寄りに配置される。
【００１６】
また、引き戸からなる第一高速戸８及び第二高速戸９が第一低速戸６等の前側に配置される。なお、第一高速戸８及び第二高速戸９は出入口１の幅方向に沿い互いに反対方向に動作して出入口１を開閉し戸閉時に出入口１幅の中心寄りに配置される。そして、第一吊り手１０が第一高速戸８の上端に装着されて、第一吊り手１０の吊り手板１１が第一案内レール５に対応する位置に配置され、第一高速戸８の戸開時において第一高速戸８の戸開側の端部から戸閉側の端部を越えて出入口１幅の中心方向に張り出して配置される。
【００１７】
また、吊り手板１１幅の両端寄りにそれぞれ枢着されて第一案内レール５の上縁を転動する吊りローラ１２及び吊り手板１１幅の両端寄りにそれぞれ枢着されて第一案内レール５の下縁に対向した外れ止めローラ１３が設けられる。また、第二吊り手１４が第二高速戸９の上端に装着されて、第二吊り手１４の吊り手板１５が第二案内レール４に対応する位置に配置され、第二高速戸９の戸開時において第二高速戸９の戸開側の端部から戸閉側の端部を越えて出入口１幅の中心方向に張り出して配置される。
【００１８】
また、吊り手板１５幅の両端寄りにそれぞれ枢着されて第二案内レール４の上縁を転動する吊りローラ１２及び吊り手板１５幅の両端寄りにそれぞれ枢着されて第二案内レール４の下縁に対向した外れ止めローラ１３が設けられる。そして、第三吊り手１６が第一低速戸６及び第二低速戸７の上端にそれぞれ装着されて、第三吊り手１６の吊り手板１７が第三案内レール３に対応する位置に配置されて、第一低速戸６、第二低速戸７の戸開時においてこれらの戸それぞれの戸開側の端部から戸閉側の端部を越えて出入口１幅の中心方向に張り出して配置される。
【００１９】
また、吊り手板１７幅の両端寄りにそれぞれ枢着されて第三案内レール３の上縁を転動する吊りローラ１２及び吊り手板１７幅の両端寄りにそれぞれ枢着されて第三案内レール３の下縁に対向した外れ止めローラ１３が設けられる。また、ハンガーケース２の長手の両端寄りにそれぞれ枢着された案内車１８及び無端状に形成されて上記案内車に巻掛けられたワイヤロープ１９からなる伝動機構２０が設けられる。
【００２０】
そして、ワイヤロープ１９の一側に第一高速戸８が連結され、ワイヤロープ１９の他側に第二高速戸９が連結される。これにより、第一高速戸８及び第二高速戸９は伝動機構２０によって互いに反対方向に開閉動作する。また、第一低速戸６及び第二低速戸７にそれぞれ枢着された案内車２１並びに一端がハンガーケース２に固定され他端は第一高速戸８及び第二高速戸９にそれぞれ連結されて案内車２１に巻掛けられたワイヤロープ２２からなり２：１ローピングを形成する周知の２：１伝動手段２３が設けられる。
【００２１】
そして、２：１伝動手段２３によって第一高速戸８及び第二高速戸９の開閉動作が１／２の速度によって第一低速戸６及び第二低速戸７に伝動される。また、出入口１の下縁部を構成する敷居２４が設けられ、図示が省略してあるが敷居２４に凹設された案内溝に、第一低速戸６、第二低速戸７、第一高速戸８及び第二高速戸９それぞれの下端に設けられた戸の脚が摺動自在に嵌合される。
【００２２】
これによって、それぞれの戸の下端が案内される。
そして、前端側が下降した係止金具２５がハンガーケース２に固定される。また、係止片２６の一端が第一高速戸８の第一吊り手１０に枢着され他端に形成された鉤部２７が係止金具２５の係止穴に上側から掛合し、また係止片２６にドア駆動装置の駆動板（図示しない）に係合する駆動金具２８が設けられる。
【００２３】
上記のように構成されたエレベーターのドア装置において、戸閉時に第一高速戸８及び第二高速戸９が出入口１幅の中心寄りに配置され、また第一低速戸６及び第二低速戸７が出入口１幅の縁部寄りに配置されて図１に示すように出入口１が閉塞される。
そして、前述の駆動装置の駆動板が駆動金具２８に係合して駆動装置が戸開駆動動作すると、このときの初期動作によって駆動金具２８を介して係止片２６が図１において時計方向に回動する。
【００２４】
これにより、係止金具２５と係止片２６の鉤部２７の掛合が解消し、次いで駆動装置の戸開駆動が継続することによって第一高速戸８が図１において右方に戸開し、また伝動機構２０によって第二高速戸９は図１において左方に戸開する。また、第一高速戸８の戸開動作によって２：１伝動手段２３を介して第一低速戸６が図１において右方に戸開し、また、第二高速戸９の戸開動作によって２：１伝動手段２３を介して第二低速戸７が図１において左方に戸開して図３に示す状態となる。
【００２５】
そして、第一低速戸６、第二低速戸７、第一高速戸８及び第二高速戸９の戸開時に、第一吊り手１０は第一案内レール５に、第二吊り手１４は第二案内レール４に、第三吊り手１６は第三案内レール３にそれぞれ案内されて移動する。また、第一低速戸６、第二低速戸７、第一高速戸８及び第二高速戸９の全開時において、第一吊り手１０、第二吊り手１４及び第三吊り手１６は、対応したそれぞれの戸の戸開側の端部から戸閉側の端部を越えて出入口１幅の中心方向に張り出して配置される。
【００２６】
前述の構成によって、第一吊り手１０、第二吊り手１４及び第三吊り手１６の吊り手板幅の両端寄りにそれぞれ枢着された吊りローラ１２の相互間隔、また外れ止めローラ１３の相互間隔をそれぞれ拡大することができる。したがって、第一高速戸８等が戸の幅が狭く縦長形状に形成された場合であっても、戸の下端部に大きい開閉動作方向の抵抗力又は開閉動作方向の付勢力等の負荷が作用したときに、吊りローラ１２、外れ止めローラ１３によって開閉動作方向の抵抗力、また付勢力による負荷を支持することができる。
【００２７】
これによって、第一高速戸８等に開閉動作方向の抵抗力、また付勢力等の負荷が作用した場合であっても、第一高速戸８等の開閉動作を安定姿勢による正常状態に維持することができる。例えば互いに反対方向に開閉動作して全閉時に端部を互いに接して配置される引き戸相互の下端部に隙間が発生したり、また全閉して端部を互いに接して配置された引き戸の下端が悪戯によってこじ開けられたときに、引き戸下端に隙間が発生したりする不具合の発生を未然に防止することができる。
【００２８】
また、第一高速戸８等の全開時に第一吊り手１０等が対応したそれぞれの戸の戸開側の端部から戸閉側の端部を越えて出入口１幅の中心方向に張り出して配置される。したがって、第一吊り手１０等における吊りローラ１２等の相互間隔を拡大するために、出入口１幅方向においてドア装置の設置に要するスペース幅を広げる必要がない。このため、比較的に狭い幅のスペースに容易にドア装置を設置することができ、エレベーターの昇降路等エレベーターを設置する建築構造体の費用を節減できてエレベーター設置費を低減することができる。
【００２９】
実施の形態２．
図１〜図３の実施の形態の構成を容易に二枚両引き戸形式のエレベーターのドア装置に応用することができる。すなわち、図１〜図３の実施の形態における第三案内レール３、第一低速戸６、第二低速戸７、第三吊り手１６及び２：１伝動手段２３を省略する。そして、第一高速戸８を戸閉時に出入口１の右半分を閉塞する第一引き戸とし、また第二高速戸９を戸閉時に出入口１の左半分を閉塞する第二引き戸とする。
【００３０】
このように構成されたエレベーターのドア装置においても、第一引き戸の第一吊り手１０、第二引き戸の第二吊り手１４の吊り手板幅の両端寄りにそれぞれ枢着された吊りローラ１２等の相互間隔を拡大することができる。また、第一引き戸等の全開時に第一吊り手１０等が対応したそれぞれの戸の戸開側の端部から戸閉側の端部を越えて出入口１幅の中心方向に張り出して配置される。したがって、詳細な説明を省略するが実施の形態２においても図１〜図３の実施の形態と同様な作用が得られる。
【図面の簡単な説明】
【００３１】
【図１】この発明の実施の形態１を示す図で、高さ方向の中間部を破断して示す正面図。
【図２】図１の案内レール箇所の拡大縦断面図。
【図３】図１の要部相当図であり出入口の戸開状態を示す図。
【符号の説明】
【００３２】
１  出入口、３  第三案内レール、４  第二案内レール、５  第一案内レール、６  第一低速戸、７  第二低速戸、８  第一高速戸、９  第二高速戸、１０  第一吊り手、１１  吊り手板、１２  吊りローラ、１３  外れ止めローラ、１４  第二吊り手、１５  吊り手板、１６  第三吊り手、１７  吊り手板。
【図１】
2005200139.tif 000003
【図２】
2005200139.tif 000004
【図３】
2005200139.tif 000005